(57)【特許請求の範囲】
【請求項１】
原稿の画像を読み取る画像読取装置本体と、
前記画像読取装置本体の上面に開閉支点を中心として開閉自在に設けられ、前記原稿を押さえる原稿押さえ部材と、
前記画像読取装置本体の上面の前記開閉支点側に設けられ、当該画像読取装置本体の上面よりも表面の高さを低く設定した低表面部と、
前記画像読取装置本体の前記低表面部に一体的に設けられ、前記画像読取装置本体の上面から原稿が落下するのを防止する原稿落下防止用突部とを備えたことを特徴とする画像読取装置。
【請求項２】
原稿の画像を読み取る画像読取装置本体と、
前記画像読取装置本体の上面に開閉支点を中心として開閉自在に設けられ、前記原稿を押さえる原稿押さえ部材と、
前記画像読取装置本体の上面の前記開閉支点側に設けられ、当該画像読取装置本体の上面よりも表面の高さを低く設定した低表面部と、
前記画像読取装置本体に一体的に設けられ、前記低表面部上に予め定められた高さだけ突出した凸形状の原稿落下防止用突部とを備えたことを特徴とする画像読取装置。
【請求項３】
前記原稿落下防止用突部は、前記画像読取装置本体の前記開閉支点側の端部に設けられていることを特徴とする請求項１又は２に記載の画像読取装置。
【請求項４】
前記原稿落下防止用突部は、前記画像読取装置本体の前記開閉支点側の端部の手前に設けられていることを特徴とする請求項１又は２に記載の画像読取装置。
【請求項５】
前記原稿落下防止用突部の高さは、前記画像読取装置本体の上面の高さ以下に設定されていることを特徴とする請求項１乃至３のいずれかに記載の画像読取装置。
【請求項６】
前記原稿押さえ部材は、前記画像読取装置本体の前記開閉支点側において互いに離間して配置された２つの支持部材によって前記画像読取装置本体に開閉自在に取り付けられており、前記低表面部は、少なくとも前記２つの支持部材の間に渡って設けられていることを特徴とする請求項１乃至４のいずれかに記載の画像読取装置。
【請求項７】
前記原稿押さえ部材は、前記画像読取装置本体の前記開閉支点側において互いに離間して配置された２つの支持部材によって前記画像読取装置本体に開閉自在に取り付けられており、前記原稿落下防止用突部は、前記２つの支持部材の間に渡って設けられていることを特徴とする請求項１乃至５のいずれかに記載の画像読取装置。
【請求項８】
前記原稿押さえ部材は、当該原稿押さえ部材が開かれた場合において前記原稿落下防止用突起の鉛直方向における上部に備えられていることを特徴とする請求項１乃至７のいずれかに記載の画像読取装置。
【請求項９】
前記原稿落下防止用突部は、幅手方向に沿って複数設けられていることを特徴とする請求項１乃至８のいずれかに記載の画像読取装置。
【発明の詳細な説明】
【技術分野】
【０００１】
この発明は、画像読取装置に関するものである。
【背景技術】
【０００２】
従来、上記画像読取装置に関連する技術としては、例えば、特開平９−５８９６号公報、特開平１０−２０４１６号公報、特許第３６５００４２号公報等に開示されたものが既に提案されている。
【０００３】
上記特開平９−５８９６号公報に係る画像読取装置は、原稿を載置するプラテンガラス、及び該プラテン上の原稿を上方から押さえる開閉可能な原稿押さえ板を有する画像読取装置において、画像読取装置本体の上面にあって、原稿が画像読取装置本体上面から落下するのを防止する原稿落下防止手段が、画像読取装置本体の上面より出入り可能に設けられたものである。
【０００４】
また、上記特開平１０−２０４１６号公報に係る画像読取装置における原稿落下防止装置は、画像読取装置本体の上面に原稿載置板が設けられており、この原稿載置板を開閉自在に覆う原稿圧着板が前記画像読取装置本体の上面にヒンジ機構により傾動可能に取り付けられている画像読取装置における原稿落下防止装置であって、前記原稿圧着板の開閉に連動して前記画像読取装置本体の上面から出没する原稿落下防止部材を設けるように構成したものである。
【０００５】
さらに、上記特許第３６５００４２号公報に係る原稿読取装置は、原稿が載置される原稿載置台と、前記原稿載置台の背面側端部近傍に配設されるとともに、前記原稿載置台を開放または閉塞する原稿カバーを回動自在に支持する原稿カバー支持手段と、前記原稿カバーの背面側端部の支持部に回転自在に支持されるとともに、前記原稿載置台の背面側端部と前記原稿載置台を開放する前記原稿カバーとの間に形成される間隙の少なくとも一部を覆う障害部材と、を備えるように構成したものである。
【先行技術文献】
【特許文献】
【０００６】
【特許文献１】特開平９−５８９６号公報
【特許文献２】特開平１０−２０４１６号公報
【特許文献３】特許第３６５００４２号公報
【発明の概要】
【発明が解決しようとする課題】
【０００７】
ところで、この発明が解決しようとする課題は、部品点数の増加に伴う装置コストの増大を抑えつつ、原稿の画像読取装置本体からの落下及び大判原稿の破損を防止することが可能な画像読取装置を提供することにある。
【課題を解決するための手段】
【０００８】
すなわち、請求項１に記載された発明は、原稿の画像を読み取る画像読取装置本体と、
前記画像読取装置本体の上面に開閉支点を中心として開閉自在に設けられ、前記原稿を押さえる原稿押さえ部材と、
前記画像読取装置本体の上面の前記開閉支点側に設けられ、当該画像読取装置本体の上面よりも表面の高さを低く設定した低表面部と、
前記画像読取装置本体の前記低表面部に一体的に設けられ、前記画像読取装置本体の上面から原稿が落下するのを防止する原稿落下防止用突部とを備えたことを特徴とする画像読取装置である。
【０００９】
また、請求項２に記載された発明は、原稿の画像を読み取る画像読取装置本体と、
前記画像読取装置本体の上面に開閉支点を中心として開閉自在に設けられ、前記原稿を押さえる原稿押さえ部材と、
前記画像読取装置本体の上面の前記開閉支点側に設けられ、当該画像読取装置本体の上面よりも表面の高さを低く設定した低表面部と、
前記画像読取装置本体に一体的に設けられ、前記低表面部上に予め定められた高さだけ突出した凸形状の原稿落下防止用突部とを備えたことを特徴とする画像読取装置である。
【００１０】
さらに、請求項３に記載された発明は、前記原稿落下防止用の突部は、前記画像読取装置本体の背面側の最後端に設けられていることを特徴とする請求項１又は２に記載の画像読取装置である。
【００１１】
又、請求項４に記載された発明は、前記原稿落下防止用突部は、前記画像読取装置本体の前記開閉支点側の端部の手前に設けられていることを特徴とする請求項１又は２に記載の画像読取装置である。
請求項５に記載された発明は、前記原稿落下防止用突部の高さは、前記画像読取装置本体の上面の高さ以下に設定されていることを特徴とする請求項１乃至３のいずれかに記載の画像読取装置である。
【００１２】
更に、請求項６に記載された発明は、前記原稿押さえ部材は、前記画像読取装置本体の前記開閉支点側において互いに離間して配置された２つの支持部材によって前記画像読取装置本体に開閉自在に取り付けられており、前記低表面部は、少なくとも前記２つの支持部材の間に渡って設けられていることを特徴とする請求項１乃至４のいずれかに記載の画像読取装置である。
【００１３】
また、請求項７に記載された発明は、前記原稿押さえ部材は、前記画像読取装置本体の前記開閉支点側において互いに離間して配置された２つの支持部材によって前記画像読取装置本体に開閉自在に取り付けられており、前記原稿落下防止用突部は、前記２つの支持部材の間に渡って設けられていることを特徴とする請求項１乃至５のいずれかに記載の画像読取装置である。
【００１４】
さらに、請求項８に記載された発明は、前記原稿押さえ部材は、当該原稿押さえ部材が開かれた場合において前記原稿落下防止用突起の鉛直方向における上部に備えられていることを特徴とする請求項１乃至７のいずれかに記載の画像読取装置である。
請求項９に記載された発明は、前記原稿落下防止用突部は、幅手方向に沿って複数設けられていることを特徴とする請求項１乃至８のいずれかに記載の画像読取装置である。
【発明の効果】
【００１５】
請求項１に記載された発明によれば、本構成を有していない場合に比較して、部品点数の増加に伴う装置コストの増大を抑えつつ、原稿の落下及び大判原稿の破損を防止することができる。
また、請求項１に記載された発明によれば、本構成を有していない場合に比較して、部品点数の増加を招くことがない。
【００１６】
また、請求項２に記載された発明によれば、本構成を有していない場合に比較して、部品点数の増加に伴う装置コストの増大を抑えつつ、原稿の落下及び大判原稿の破損を防止することができる。
【００１７】
さらに、請求項３に記載された発明によれば、本構成を有していない場合に比較して、原稿の落下をより一層確実に防止することができる。
【００１８】
又、請求項４に記載された発明によれば、本構成を有していない場合に比較して、原稿の落下を防止することができる。
更に、請求項５に記載された発明によれば、本構成を有していない場合に比較して、大判原稿の破損をより一層確実に防止することができる。
【００１９】
更に、請求項６に記載された発明によれば、本構成を有していない場合に比較して、原稿押さえ部材を画像読取装置本体に開閉自在に取り付ける２つの開閉部材の間において、原稿の落下をより一層確実に防止できる。
【００２０】
また、請求項７に記載された発明によれば、本構成を有していない場合に比較して、原稿押さえ部材を画像読取装置本体に開閉自在に取り付ける２つの開閉部材の間から原稿が落下するのを防止することができる。
【００２１】
さらに、請求項８に記載された発明によれば、当該原稿押さえ部材が開かれた場合において前記原稿落下防止用突起の鉛直方向における上部に備えられていない場合と比較して、画像読取装置本体が大型化することを防止することができる。
請求項９に記載された発明によれば、原稿落下防止用突起を一連に連なるように設ける場合と比較して、原稿落下防止用突起の長さを短くすることができる。
【図面の簡単な説明】
【００２２】
【図１】この発明の実施の形態１に係る画像読取装置の自動原稿搬送装置を取り外した状態を示す外観斜視図である。
【図２】この発明の実施の形態１に係る画像読取装置を画像形成装置に適用した場合において自動原稿搬送装置を取り外した状態を示す外観斜視図である。
【図３】この発明の実施の形態１に係る画像読取装置を画像形成装置に適用した場合において自動原稿搬送装置を装着した状態を示す外観斜視図である。
【図４】この発明の実施の形態１に係る画像読取装置を画像形成装置に適用した場合において自動原稿搬送装置を開いた状態を示す外観斜視図である。
【図５】自動原稿搬送装置の開閉部材を示す構成図である。
【図６】この発明の実施の形態１に係る画像読取装置の自動原稿搬送装置を取り外した状態を示す要部の側面図である。
【図７】この発明の実施の形態１に係る画像読取装置の自動原稿搬送装置を装着した状態を示す要部の側面図である。
【図８】この発明の実施の形態１の変形例に係る画像読取装置の自動原稿搬送装置を取り外した状態を示す外観斜視図である。
【図９】自動原稿搬送装置を開閉した状態を示す要部構成図である。
【図１０】原稿落下防止用の突部の設置位置を示す説明図である。
【発明を実施するための形態】
【００２３】
以下に、この発明の実施の形態について図面を参照して説明する。
【００２４】
実施の形態１
図１はこの発明の実施の形態１に係る画像読取装置の要部を示す斜視構成図である。
【００２５】
図１において、１は画像読取装置を示すものであり、この画像読取装置１は、例えば、他の装置から独立した装置として構成されるが、これに限らず、図２に示すように、図示しない画像形成装置の上部に当該画像形成装置を操作する操作ボタンや表示パネルなどを備えた操作パネル２と共に一体的に構成されたり、あるいは画像形成装置の上部に空間を介して離間した状態で配置されるように構成しても良い。
【００２６】
この画像読取装置１は、図１に示すように、画像読取装置本体３を備えており、当該画像読取装置本体３は、板金や一部合成樹脂等からなる材料によって、予め定められた高さを有する偏平な直方体状に形成されているとともに、当該画像読取装置本体３の上面４は、平面状に形成されている。この画像読取装置本体３は、図２に示すように、操作パネル２が装着される側を前面側、当該操作パネル２と反対側が背面側とし、画像読取装置１の背面側は、通常、オフィスの壁側などに近付けた状態で配置される。
【００２７】
画像読取装置本体３の上面４には、図１に示すように、透明なプラテンガラス６が配置されており、このプラテンガラス６は、画像を読み取る原稿５を設置するための原稿設置面を形成している。上記プラテンガラス６は、画像読取装置本体３の上面４と同一平面を形成するように配置されるか、又は画像読取装置本体３の上面４よりも予め定められた高さだけ低く配置されている。このプラテンガラス６は、画像読取装置１で読取可能な原稿５の最大サイズに対応した大きさに設定されている。
【００２８】
また、上記プラテンガラス６は、原稿５の互いに交差する２辺５ａ、５ｂを基準にして位置合わせ（所謂「コーナーレジ」）を行うように設定されており、図１中の左奥側の角部７を基準として原稿５の画像面（読取面）を下にして設置するように構成されている。また、プラテンガラス６の原稿５の基準となる２辺５ａ、５ｂに対応した位置には、原稿５を押し当てることにより位置決めする位置決め部材８、９が、プラテンガラス６の表面から予め定められた微小な高さだけ突出した状態で設けられている。
【００２９】
なお、プラテンガラス６としては、上記のものに限らず、原稿５の一辺に沿った方向の中央部を基準にして位置合わせ（所謂「センターレジ」）を行うように設定されたものであっても勿論良い。
【００３０】
さらに、上記画像読取装置本体３の上面４には、プラテンガラス６の一側（図中、左側）に、後述する自動原稿搬送装置１１によって搬送される原稿５の画像を読み取るための細長い矩形状の第２のプラテンガラス１０が配置されている。
【００３１】
また、上記画像読取装置本体３の内部には、図示していないが、原稿５の画像を照明するための光源や、原稿５からの反射光像を画像読取素子へと導くミラー及び結像レンズ、あるいはこれらの光源やミラーを駆動する駆動系などの部品が収容されている。
【００３２】
一方、上記画像読取装置１には、図３及び図４に示すように、画像読取装置本体３の背面側に、原稿５を押さえる原稿押さえ部材としての自動原稿搬送装置１１が開閉自在に設けられている。この自動原稿搬送装置１１は、図４に示すように、その下面１２のプラテンガラス６に対応した領域に白色の弾性部材が装着されており、画像読取装置本体３のプラテンガラス６上に載せられた異なるサイズの原稿５を上方から押さえて、プラテンガラス６上に固定するための原稿押さえ部材としての機能を果たしている。上記自動原稿搬送装置１１は、図３に示すように、原稿収容台１３上に収容された図示しない原稿を１枚ずつ分離した状態で搬送し、原稿が図１に示す第２のプラテンガラス１０上を通過する間に、当該原稿の画像を自動的に読み取るためのものである。なお、画像の読み取りが終了した原稿は、自動原稿搬送装置１１の原稿収容台１３の下方に設けられた原稿排出台１４上に排出される。
【００３３】
上記自動原稿搬送装置１１は、図５に示すように、画像読取装置本体３の背面側の端部近くに設けられた開閉支点としての支点軸１５ａを有する開閉部材１５を介して開閉自在に画像読取装置本体２に取り付けられている。また、上記画像読取装置本体３には、図１及び図５に示すように、開閉部材１５の下方に円柱形状に突出した状態で設けられた装着部１６を挿入するための挿入孔１７が設けれており、自動原稿搬送装置１１は、図２及び図４に示すように、開閉部材１５の装着部１６を画像読取装置本体３の挿入孔１７に対して抜き差しすることによって、画像読取装置本体３に着脱自在となっている。上記挿入孔１７は、図１に示すように、画像読取装置本体２の上面４の背面側に、当該画像読取装置本体３の奥行き方向と交差する幅方向に沿った両端部の近くに、互いに予め定められた距離だけ離間した状態でそれぞれ１つずつ合計２つ設けられている。
【００３４】
そして、上記画像読取装置１は、図１及び図２に示すように、設計図や地図、あるいはポスターなどのように、プラテンガラス６よりも大きな図示しない大判原稿の画像の一部を読み取る際などに、自動原稿搬送装置１１を画像読取装置本体３から取り外して画像読取装置本体３の上面４を開放し、この開放された画像読取装置本体４の上面４にプラテンガラス６から周囲にはみ出した状態で大判原稿を広げ、この大判原稿の画像を画像読取装置本体３にて読み取るようになっている。
【００３５】
なお、上記原稿押さえ部材としては、上述した自動原稿搬送装置１１からなるものに限定されず、通常のプラテンカバーとしての下面に白色の弾性部材が装着された図示しない原稿押さえカバーを用いても良いことは勿論である。
【００３６】
ところで、この実施の形態では、図１及び図６に示すように、上記画像読取装置本体３の上面４が背面側の全面にわたって同一平面状には形成されておらず、画像読取装置本体３の上面４は、その開閉支軸１５ａ側としての背面側の予め定められた幅Ｗの領域が、画像読取装置本体３の背面側の端部にまでわたって、当該画像読取装置本体３の上面４よりも予め定められた高さｈだけ表面が低い低面部１８となっている。
【００３７】
なお、図示例では、図１及び図６に示すように、画像読取装置本体３の上面４のうち、２つの挿入孔１７の画像読取装置本体３における幅方向外側に位置する上面４は、当該画像読取装置本体２の背面側に向けて徐々に低くなるような傾斜面１９となっている。
【００３８】
上記低面部１８は、例えば、図１に示すように、画像読取装置本体上面４の背面側であって、２つの挿入孔１７の間に位置し、且つ当該挿入孔１７の中心部に位置する端縁４ａよりも背面側に位置する幅の広い領域にわたって設けられている。なお、上記挿入孔１７の前面側に位置する端縁４ｂよりも背面側の領域も、低面部１８と同一平面状に形成されている。このように、上記低面部１８は、図１に示すように、少なくとも２つの挿入孔１７の間にわたって連続するように設けられている。また、上記低面部１８の表面は、図６に示すように、例えば、画像読取装置本体３の上面４よりも高さｈ＝約２．５ｍｍ程度低くなるように設定されているが、これに限定されるものではなく、他の値に設定しても勿論良い。
【００３９】
さらに、上記低面部１８の背面側、図示例では低面部１８の背面側の最後端には、図１及び図６、図７に示すように、原稿５の落下を防止する落下防止用の突部２０が上向きに突出した状態で設けられている。この落下防止用の突部２０は、予め定められた幅及び高さを有する断面矩形状又は上端面の角部が湾曲した断面矩形状に形成されており、図１に示すように、画像読取装置本体３の奥行き方向と交差する幅方向に沿って、２つの開閉部材１５が取り付けられる挿入孔１７の間に連続した突起形状に設けられている。この実施の形態では、図６に示すように、落下防止用の突部２０が画像読取装置本体３の上面４と等しい高さに設定されている。ただし、これに限定されるものではなく、落下防止用の突部２０の高さは、画像読取装置本体３の上面４よりも低く設定しても良い。上記落下防止用の突部２０は、例えば、画像読取装置本体３の背面側の上端面を覆う合成樹脂等からなる上面カバー２１に一体的に形成されており、当該上面カバー２１の表面が低面部１８を形成している。
【００４０】
なお、上記落下防止用の突部２０は、必ずしも、２つの開閉部材１５の間に一連に連なるように設ける必要はなく、幅手方向に沿って複数に分割して設けても良い。また、上記落下防止用の突部２０は、図８に示すように、２つの開閉部材１５の間において、原稿５を設置する際の基準７となる側にのみ予め定められた長さにわたって設けても良い。この場合には、落下防止用の突部２０の長さが短くて済む分だけ、当該落下防止用の突部２０に接触して大判原稿が破損する虞れをより一層防止することができる。
【００４１】
この落下防止用の突部２０は、例えば、図９に示すように、自動原稿搬送装置１１を開くことにより、画像読取装置本体３のプラテンガラス６上に載せた原稿５を取り出す際などに、自動原稿搬送装置１１を開く動作に伴って、原稿５が自動原稿搬送装置１１とともに持ち上げられた後、自動原稿搬送装置１１の原稿押圧面１２から剥離して落下し、自動原稿搬送装置１１と画像読取装置本体２との隙間Ｇから当該画像読取装置本体３の背面側へ移動する原稿５の先端が、当該落下防止用の突部２０に衝突することにより、原稿５が落下するのを防止するためのものである。
【００４２】
その際、上記落下防止用の突部２０が設けられている低面部１８は、図６及び図９に示すように、画像読取装置本体３の上面４よりも低く設定されているため、自動原稿搬送装置１１と画像読取装置本体２との隙間Ｇを通過した原稿５の先端部は、低面部１８の表面に沿って移動し、その先端が落下防止用の突部２０に衝突することで落下が防止される。
【００４３】
上記落下防止用の突部２０は、図６に示すように、必ずしも、低面部１８の背面側の最後端に設ける必要はなく、低面部１８の背面側であれば、最後端よりも手前側など任意の位置に設けても良い。また、上記落下防止用の突部２０を低面部１８の背面側の最後端に設けた場合には、原稿５の先端部を落下防止用突部２０の手前側に位置する低面部１８の表面に沿って確実に移動させることができ、当該低面部１８の表面から突出した落下防止用突部２０の高さを有効に利用して、原稿の落下をより一層確実に防止することができる。
【００４４】
ただし、上記低面部１８の背面側は、図１０に示すように、自動原稿搬送装置１１や図示しない原稿押さえカバーを開閉する際に、自動原稿搬送装置１１等の背面側の部位が回転して移動する領域であるため、当該自動原稿搬送装置１１の背面側の部位と落下防止用の突部２０とが互いに干渉しないのは勿論のこと、自動原稿搬送装置１１を脱着する際などに誤って作業者が指を自動原稿搬送装置１１の背面側に回した場合であっても、作業者の指が自動原稿搬送装置１１と落下防止用の突部２０との間に挟まれることがないように留意する必要がある。
【００４５】
具体的には、図１０に示すように、自動原稿搬送装置１１の開閉領域の背面側であって、自動原稿搬送装置１１の開放時（開放角度は、例えば６０度）に、作業者の指が挟み込まれない空間（例えば、１５ｍｍ程度の間隔）を確保する必要がある。このような要求を画像読取装置本体３の上面４と同一の表面上で満足するためには、落下防止用の突部２０を自動原稿搬送装置１１の背面側の角部から約３０ｍｍ（＝１５ｍｍ／ｓｉｎ３０°）以上離れた位置に設ける必要があり、画像読取装置本体３の上面４の背面側に十分な長さを必要とし、画像読取装置本体３が大型化する虞れがある。
【００４６】
これに対して、落下防止用の突部２０を画像読取装置本体２の上面４と同一の表面上ではなく、画像読取装置本体２の上面４よりも低い低面部１８に設け、しかも当該落下防止用の突部２０の高さを画像読取装置本体２の上面４以下に設定することによって、落下防止用の突部２０を設ける位置の制約がなくなり、画像読取装置本体２が大型化することなく、落下防止用の突部２０によって原稿５の落下を防止することが可能となる。
【００４７】
上記落下防止用の突部２０は、原稿５の落下防止という観点からは、画像読取装置本体２の上面４よりも高く突出させても良いが、当該落下防止用の突部２０の高さが画像読取装置本体２の上面４を越えると、画像読取装置本体２の上面４に大判原稿を設置した際に、当該大判原稿の一部が落下防止用の突部２０に突き当たって破損する虞れが生じるため、落下防止用の突部２０の高さは、画像読取装置本体２の上面４以下に設定することが望ましい。
【００４８】
以上の構成において、この実施の形態に係る画像読取装置では、次のようにして、部品点数の増加に伴う装置コストの増大を抑えつつ、原稿が落下するのを防止することができるとともに、大判の原稿が破損するのを防止することが可能となる。
【００４９】
すなわち、この実施の形態に係る画像読取装置１では、当該画像読取装置１によって原稿５の画像を読み取る際に、図４に示すように、自動原稿搬送装置１１を開いた状態で、画像読取装置本体２のプラテンガラス６上の予め定められた位置に原稿５を設置した後、図３に示すように、自動原稿搬送装置１１を閉じて原稿５をプラテンガラス６上に固定する。
【００５０】
その後、上記画像読取装置１では、図３に示すように、操作パネル２に設けられた画像読取動作の開始ボタンを操作することにより、プラテンガラス６上に設置した原稿５の画像を、図示していないが、画像読取装置本体２の内部に配置された原稿照明用の光源やミラー、あるいは結像レンズ等を介して、画像読取素子上に走査露光することによって、当該画像読取素子にて読み取るようになっている。
【００５１】
その後、原稿５の画像読取動作が終了した後に、図４に示すように、再度、自動原稿搬送装置１１を開いて、プラテンガラス６上に置かれた原稿５を取り出す操作が行われる。
【００５２】
このとき、従来の画像読取装置では、自動原稿搬送装置１１や原稿押さえカバーを急激に開いた場合など、当該自動原稿搬送装置１１を開放する動作に伴って、原稿５が自動原稿搬送装置１１と共にプラテンガラス６上から持ち上げられた後に、自動原稿搬送装置１１の原稿押圧面１２から落下し、自動原稿搬送装置１１と画像読取装置本体２との隙間Ｇから、当該画像読取装置本体２の背面側などに原稿５が落下する虞れがあった。
【００５３】
ところが、この実施の形態では、図１及び図９に示すように、画像読取装置本体３の背面側に位置する低面部１８上に原稿落下防止用の突部２０が設けられているため、自動原稿搬送装置１１と画像読取装置本体２との隙間Ｇを通過した原稿５の先端部は、低面部１８の表面に沿って移動し、画像読取装置本体３の背面側に設けられた原稿落下防止用の突部２０に突き当たって止まり、画像読取装置本体３の背面側に落下することが防止される。
【００５４】
また、この実施の形態では、図１及び図９に示すように、原稿落下防止用の突部２０が画像読取装置本体２の上面４と同一面に設けられているのではなく、当該画像読取装置本体２の上面４よりも低く設定された低表面部１８に、画像読取装置本体２の上面４以下の高さに設けられている。
【００５５】
そのため、上記画像読取装置１において、図１及び図２に示すように、設計図や地図、あるいはポスターなどの大判原稿の画像を読み取る際などに、自動原稿搬送装置１１を画像読取装置本体３から取り外して画像読取装置本体２の上面４を開放し、この開放された画像読取装置本体３の上面４にプラテンガラス６から周囲にはみ出した状態で大判原稿を広げても、原稿落下防止用の突部１６は、画像読取装置本体３の上面４よりも上方に突出することがないので、大判原稿を画像読取装置本体３の上面４に広げて作業者が手で押さえた場合などであっても、大判原稿が原稿落下防止用の突部２０に突き当たって破損したりすることがない。
【００５６】
このように、上記実施の形態に係る画像読取装置１では、原稿落下防止用の突部２０を出没させる複雑な機構などを設ける必要がなく、部品点数の増加に伴う装置コストの増大を抑えつつ、原稿が落下するのを防止することができるとともに、大判原稿が破損したりするのを防止することができる。
【符号の説明】
【００５７】
１：画像読取装置、３：画像読取装置本体、４：上面、１８：低面部、２０：原稿落下防止用の突部。
【図１】
0005532790.tif 000002
【図２】
0005532790.tif 000003
【図３】
0005532790.tif 000004
【図４】
0005532790.tif 000005
【図５】
0005532790.tif 000006
【図６】
0005532790.tif 000007
【図７】
0005532790.tif 000008
【図８】
0005532790.tif 000009
【図９】
0005532790.tif 000010
【図１０】
0005532790.tif 000011